(57)【要約】【課題】生体情報に基づいて求めたストレス度などの個人特徴を利用して、属地的な分析を行う枠組みを提供する。【解決手段】音声通信機能を有する移動端末機において入力された音声の周波数パワー情報と、前記音声が入力されたときに前記移動端末機の音声通信を中継していた基地局装置の位置情報とを取得する取得部と、前記取得した周波数パワー情報と位置情報とを対応づけて記憶する記憶部と、エリアの指定を受け付ける受付部と、前記指定されたエリアに関連する位置情報を特定し、前記記憶部を参照して、前記特定した位置情報に対応する周波数パワー情報を取得し、前記取得した周波数パワー情報のうち閾値以上の周波数の周波数パワー情報に基づいて前記指定されたエリアにおける前記移動端末機の使用ユーザのストレス度を求め、前記指定されたエリアに対応づけて出力する出力部と、を含む。【選択図】図５
2011024830.tif 000002
【特許請求の範囲】
【請求項１】
音声通信機能を有する移動端末機において入力された音声の周波数パワー情報と、前記音声が入力されたときに前記移動端末機の音声通信を中継していた基地局装置の位置情報とを取得する取得部と、
前記取得した周波数パワー情報と位置情報とを対応づけて記憶する記憶部と、
エリアの指定を受け付ける受付部と、
前記記憶部を参照して、前記指定されたエリアに関連する位置情報を特定し、前記特定した位置情報に対応する周波数パワー情報を取得し、前記取得した周波数パワー情報のうち閾値以上の周波数の周波数パワー情報に基づいて前記指定されたエリアにおける前記移動端末機の使用ユーザのストレス度を求め、前記指定されたエリアに対応づけて出力する出力部と、を含む情報処理システム。
【請求項２】
ユーザの生体情報又はその加工情報と、前記生体情報が生成されたときの前記ユーザの位置情報を取得する取得部と、
前記取得した生体情報又はその加工情報と位置情報とを対応づけて記憶する記憶部と、
前記記憶部を参照して、所定のエリアに関連する位置情報を特定し、前記特定した位置情報に対応する生体情報又はその加工情報を取得し、前記取得した情報に基づいて前記所定のエリアのユーザに関する個人特徴を求め、前記所定のエリア対応づけて出力する特徴出力部と、を含む情報処理システム。
【請求項３】
前記取得部は、前記ユーザの生体情報の加工情報として、音声通信機能を有する移動端末機において入力された前記ユーザの音声の周波数パワー情報を取得し、前記ユーザの位置情報として、前記音声が入力されたときの前記移動端末機の位置情報を取得する、請求項２記載の情報処理システム。
【請求項４】
前記取得部は、前記移動端末機の位置情報として、前記音声が入力されたときに前記移動端末機の音声通信を中継していた基地局装置の位置情報、又は、前記音声が入力されたときを基準とする所定期間内に前記移動端末機のＧＰＳ機能により決定された前記移動端末機の位置情報を取得する、請求項３記載の情報処理システム。
【請求項５】
前記特徴出力部は、所定エリアに関連する位置情報を特定し、前記記憶部を参照して、前記特定した位置情報に対応する周波数パワー情報を取得し、前記取得した周波数パワー情報のうち閾値以上の周波数の周波数パワー情報に基づいて前記所定のエリアにおける前記移動端末機の使用ユーザのストレス度を前記個人特徴として求め、前記所定のエリアに対応づけて出力する、請求項３記載の情報処理システム。
【請求項６】
前記特徴出力部は、前記所定のエリアを含む範囲の地図又はレイアウト図上に前記所定のエリアに対応づけて前記個人特徴を表示するためのマップ情報を出力する、請求項２記載の情報処理システム。
【請求項７】
音声通信機能を有する移動端末機において入力された音声の周波数パワー情報と、前記音声が入力されたときに前記移動端末機の音声通信を中継していた基地局装置の位置情報とを取得することと、
前記取得した周波数パワー情報と位置情報とを対応づけてメモリに記憶することと、
エリアの指定を受け付けることと、
前記メモリを参照して、前記指定されたエリアに関連する位置情報を特定し、前記特定した位置情報に対応する周波数パワー情報を取得し、前記取得した周波数パワー情報のうち閾値以上の周波数の周波数パワー情報に基づいて前記指定されたエリアにおける前記移動端末機の使用ユーザのストレス度を求め、前記指定されたエリアに対応づけて出力することと、を含む情報処理方法。
【発明の詳細な説明】
【技術分野】
【０００１】
本開示は、生体情報を利用する情報処理システム及び方法に関する。
【背景技術】
【０００２】
近年、社会生活において受けるストレスが著しく増加していることから、ストレスによって生じる身体や精神上の不調が社会的にも大きな問題となっている。
【０００３】
ストレスに対して適切に対処するためには、どの程度のストレス状態にあるかを測定する必要があり、従来より、脈拍、血圧、発汗、心電図、脳波、音声などの、生体から取得した情報（生体情報）を用いてストレス度を測定する技術が開発、提案されている（例えば、非特許文献１）。
【先行技術文献】
【非特許文献】
【０００４】
【非特許文献１】“National Institute for Truth Verification”、［online］、［平成２１年７月１６日検索］、インターネット、＜ＵＲＬ：http://www.cvsa1.com/index.htm＞
【発明の概要】
【発明が解決しようとする課題】
【０００５】
従来、生体情報に基づいて求めたストレス度などの個人特徴は、その生体情報を取得した個人に対するカウンセリングや個人環境の改善などに用いられている。
【０００６】
しかし、ストレスを生じさせる要因には、属人的なものに限られず、属地的なものも多く存在する。
【０００７】
また、個人の生体情報に基づいて求められる個人特徴のなかには、ストレス度と同様に、個人的な要因で変動するだけでなく、地域的な要因で変動し得るものがある。
【０００８】
そこで、生体情報に基づいて求めたストレス度などの個人特徴を利用して、属地的な分析を行う枠組みを提供することが望まれる。
【課題を解決するための手段】
【０００９】
本開示の情報処理システムは、音声通信機能を有する移動端末機において入力された音声の周波数パワー情報と、前記音声が入力されたときに前記移動端末機の音声通信を中継していた基地局装置の位置情報とを取得する取得部と、前記取得した周波数パワー情報と位置情報とを対応づけて記憶する記憶部と、エリアの指定を受け付ける受付部と、前記記憶部を参照して、前記指定されたエリアに関連する位置情報を特定し、前記特定した位置情報に対応する周波数パワー情報を取得し、前記取得した周波数パワー情報のうち閾値以上の周波数の周波数パワー情報に基づいて前記指定されたエリアにおける前記移動端末機の使用ユーザのストレス度を求め、前記指定されたエリアに対応づけて出力する出力部と、を含む。
【００１０】
本開示の情報処理システムは、ユーザの生体情報又はその加工情報と、前記生体情報が生成されたときの前記ユーザの位置情報を取得する取得部と、前記取得した生体情報又はその加工情報と位置情報とを対応づけて記憶する記憶部と、前記記憶部を参照して、所定のエリアに関連する位置情報を特定し、前記特定した位置情報に対応する生体情報又はその加工情報を取得し、前記取得した情報に基づいて前記所定のエリアのユーザに関する個人特徴を求め、前記所定のエリア対応づけて出力する特徴出力部と、を含む。
【００１１】
前記取得部は、前記ユーザの生体情報の加工情報として、音声通信機能を有する移動端末機において入力された前記ユーザの音声の周波数パワー情報を取得し、前記ユーザの位置情報として、前記音声が入力されたときの前記移動端末機の位置情報を取得することができる。
【００１２】
前記取得部は、前記移動端末機の位置情報として、前記音声が入力されたときに前記移動端末機の音声通信を中継していた基地局装置の位置情報、又は、前記音声が入力されたときを基準とする所定期間内に前記移動端末機のＧＰＳ機能により決定された前記移動端末機の位置情報を取得することができる。
【００１３】
前記特徴出力部は、所定エリアに関連する位置情報を特定し、前記記憶部を参照して、前記特定した位置情報に対応する周波数パワー情報を取得し、前記取得した周波数パワー情報のうち閾値以上の周波数の周波数パワー情報に基づいて前記所定のエリアにおける前記移動端末機の使用ユーザのストレス度を前記個人特徴として求め、前記所定のエリアに対応づけて出力することができる。
【００１４】
前記特徴出力部は、前記所定のエリアを含む範囲の地図又はレイアウト図上に前記所定のエリアに対応づけて前記個人特徴を表示するためのマップ情報を出力することができる。
【００１５】
本開示の情報処理方法は、音声通信機能を有する移動端末機において入力された音声の周波数パワー情報と、前記音声が入力されたときに前記移動端末機の音声通信を中継していた基地局装置の位置情報とを取得することと、前記取得した周波数パワー情報と位置情報とを対応づけてメモリに記憶することと、エリアの指定を受け付けることと、前記メモリを参照して、前記指定されたエリアに関連する位置情報を特定し、前記特定した位置情報に対応する周波数パワー情報を取得し、前記取得した周波数パワー情報のうち閾値以上の周波数の周波数パワー情報に基づいて前記指定されたエリアにおける前記移動端末機の使用ユーザのストレス度を求め、前記指定されたエリアに対応づけて出力することと、を含む。
【００１６】
本開示の情報処理方法に対応する処理は、コンピュータが有するＣＰＵにより実施することができるが、そのためのプログラムは、ＣＤ−ＲＯＭ、磁気ディスク、半導体メモリ及び通信ネットワークなどの各種の媒体を通じてインストールまたはロードすることができる。
【００１７】
なお、本明細書において、「部」とは、ハードウェアにより実現されるユニット、ソフトウェアにより実現されるユニット、両方を用いて実現されるユニットを含む。また１つのユニットが２つ以上のハードウェアを用いて実現されてもよく、２つ以上のユニットが１つのハードウェアにより実現されても良い。
【図面の簡単な説明】
【００１８】
【図１】本実施形態の情報処理システム１の概略構成を示すブロック図である。
【図２Ａ】本実施形態に係るマップサーバ１３のハードウェア構成を示す図である。
【図２Ｂ】本実施形態に係るマップサーバ１３の機能構成を示す図である。
【図３】本実施形態に係る周波数パワー情報記憶部３２のデータ構造例を示す図である。
【図４】本実施形態に係る情報収集フェーズを説明するフローチャートである。
【図５】本実施形態に係るストレス度出力フェーズを説明するフローチャートである
【図６】本実施形態に係るストレス度決定テーブルの例を示す図である。
【図７】本実施形態に係る、地図上又はレイアウト図上にストレス度を表示する例を示す図である。
【発明を実施するための形態】
【００１９】
以下、本開示を実施するための好適な実施形態を、図面を参照しながら説明する。本実施形態においては、ユーザの生体情報及びその加工情報として、移動端末機に入力される音声及びそのパワースペクトル密度を採用し、ユーザに関する個人特徴として、音声の周波数パワー情報に基づき求めたストレス度を採用する場合を例に説明する。
【００２０】
図１は、本開示の実施形態であるエリア別ストレス度を出力するための情報処理システム１の概略構成を表わす図である。図１に示すように、情報処理システム１は、複数の移動端末機１０、移動端末機１０と通信可能に構成される基地局１１、基地局１１と通信可能に構成されるセンター局（制御局）１２、センター局１２と通信可能に構成されるマップサーバ１３、マップサーバ１３と通信可能に構成されるユーザ端末１４などを含んでいる。
【００２１】
なお、移動端末機１０、基地局１１、センター局１２、ユーザ端末１４は、情報処理システム１内の装置、情報処理システム１外の装置のいずれとして設けてもよい。また、図１では、センター局１２、マップサーバ１３、ユーザ端末１４をそれぞれ１つしか示していないが、設計に応じて複数設けることが可能である。また、ユーザ端末１４は、移動端末機１０の一つであってもよい。
【００２２】
移動端末機１０、基地局１１、センター局１２は、原則として、ＰＨＳ、携帯電話等により構築される従来の移動通信システムのものと同様の機能構成を備える。例えば、移動端末機１０は、基地局１１を介して他の移動端末機１０と音声通信を行う機能などを有し、基地局１１は、移動端末機１０の音声通信を中継する機能などを有し、センター局１２は、無線ネットワーク制御機能（ＲＮＣ機能）、回線交換機能、パケット交換機能、基地局データベース機能などを有する。このような移動端末機１０、基地局１１、センター局１２は、既存の移動通信システムのものを使用することができる。
【００２３】
ただし、本開示のセンター局１２は、従来の移動通信システムのセンター局が有する機能に加え、移動端末機１０において入力された音声の周波数パワー情報としてパワースペクトル密度［Ｗ／Ｈｚ］を算出する周波数パワー情報算出部２１と、音声のパワースペクトル密度と、該音声が生成されたとき（該音声が移動端末機１０に入力されたとき）のユーザの位置情報とをマップサーバ１３に送信するデータ送信部２２とを有している。
【００２４】
マップサーバ１３は、移動端末機１０において入力される音声のパワースペクトル密度を用いて、エリア別ストレス度を出力する機能などを有する。
【００２５】
図２Ａは、マップサーバ１３のハードウェア構成を示すブロック図である。図２Ａに示すように、マップサーバ１３は、ＣＰＵ、メモリ（ＲＯＭ、ＲＡＭ）、ＨＤＤ、ユーザインタフェース、ディスプレイ、通信インタフェース等のハードウェアを備える汎用のコンピュータにより構成することができる。
【００２６】
図２Ｂは、マップサーバ１３の機能構成を示すブロック図である。図２Ｂに示すように、マップサーバ１３は、周波数パワー／位置情報取得部３１、周波数パワー情報記憶部３２、リクエスト受付部３３、ストレス度出力部３４等の機能手段を含んでいる。ただし、周波数パワー情報記憶部３２は、マップサーバ１３によって直接又は間接にアクセスできるように構成されていればよく、図ではマップサーバ１３の一部として構成しているが、他の情報処理装置（データベースサーバなど）の制御下にあってもよい。
【００２７】
なお、マップサーバ１３は、通常のＷｅｂサーバが有する機能、例えば、通信ネットワークを介してユーザ端末１４と通信する機能を有しており、これらの機能は公知の技術を用いて実現される。
【００２８】
周波数パワー／位置情報取得部３１は、センター局１２から、音声のパワースペクトル密度と、音声入力時位置情報とを受信する（取得する）。
【００２９】
周波数パワー情報記憶部３２は、周波数パワー／位置情報取得部３１により取得した音声のパワースペクトル密度と音声入力時位置情報とを対応づけて記憶する。図３に周波数パワー情報記憶部３２のデータ構造を模式的に示す。周波数パワー情報記憶部３２におけるデータ管理には、例えばリレーショナルデーターベース等の従来のデータベース技術を用いることができる。
【００３０】
リクエスト受付部３３は、ユーザ端末１４から、エリア指定情報を含むストレス度出力リクエストを受信する。
【００３１】
ストレス度出力部３４は、リクエスト受付部３３がストレス度出力リクエストを受信した場合、ストレス度出力リクエストにおいて指定されたエリアに関連する位置情報を特定し、周波数パワー情報記憶部３２を参照して、前記特定した位置情報に対応するパワースペクトル密度を取得し、前記取得したパワースペクトル密度のうち、閾値以上の周波数に対応するパワースペクトル密度に基づいて、前記指定されたエリアにおける移動端末機１０の使用ユーザのストレス度を求め、前記指定されたエリアに対応づけてユーザ端末１４に送信する。
【００３２】
ユーザ端末１４は、入出力装置を含み、情報処理システム１を利用するユーザからの入力を受け付けるとともに、ユーザに対し情報を出力することができる構成となっている。このようなユーザ端末１４としては、一般的なパソコンや携帯端末を用いることができる。
【００３３】
以下、図４及び図５に示すフローチャートに基づいて、情報処理システム１を用いて実現される枠組みについて説明する。なお、各工程（符号が付与されていない部分的な工程を含む）は処理内容に矛盾を生じない範囲で、任意に順番を変更して又は並列に実行することができる。
【００３４】
（情報収集フェーズ：図４）
情報収集フェーズは、移動端末機１０を利用して音声通信が行われる間、恒常的に、又は定期的に、又は所定の条件が成立している場合（例えば、ユーザが音声の周波数パワー情報の収集に同意した場合）に、実行される。
【００３５】
情報収集フェーズでは、移動端末機１０にユーザの音声が入力されると（Ｓ１００）、前記入力されたユーザの音声は、移動端末機１０において所定の符号化が施された音声情報に変換され、所定のプロトコルに従って基地局１１を介してセンター局１２に送信される（Ｓ１０１）。
【００３６】
センター局１２では、音声情報を受信すると（Ｓ１０２）、周波数パワー情報算出部２１が、前記受信した音声情報に基づいて、前記音声のパワースペクトル密度を算出する（Ｓ１０３）。
【００３７】
例えば、移動端末機１０、基地局１１、センター局１２を用いた移動通信システムが音声符号化方式としてスペクトル符号化又はこれに準ずる方式を用いている場合、伝送される信号に含まれるスペクトル情報から、音声のパワースペクトル密度を算出することができる。また例えば、移動通信システムが波形符号化方式又はこれに準ずる方式を用いている場合、伝送される信号に基づいて音声の波形を求め、これにフーリエ変換処理（例えば、ＦＦＴ（Fast Fourier Transform））を適用して、音声のパワースペクトル密度を算出することができる。
【００３８】
次に、データ送信部２２は、前記音声のパワースペクトル密度と、前記音声が生成されたとき（前記音声が移動端末機１０に入力されたとき）のユーザの位置情報とを対応づけて、マップサーバ１３に送信する（Ｓ１０４）。
【００３９】
本実施形態では、ユーザの位置情報として、前記音声が移動端末機１０に入力されたときに該移動端末機１０の音声通信を中継していた基地局１１の位置情報（以下、「音声入力時位置情報」と呼ぶ）を送信する。データ送信部２２は、センター局１２で受信する音声情報に中継基地局１１の識別情報が含まれている場合、基地局データベースに照会して中継基地局１１の位置情報（緯度、経度）を取得することができる。
【００４０】
なお、データ送信部２２は、マップサーバ１３からのリクエストに応じて送信するように構成してもよい。
【００４１】
マップサーバ１３において、周波数パワー／位置情報取得部３１が、センター局１２から送信された、音声のパワースペクトル密度と音声入力時位置情報との組み合わせを受信する（取得する）と（Ｓ１０５）、組み合わせ中の情報を対応づけて周波数パワー情報記憶部３２に登録する（Ｓ１０６）。後述のストレス度出力フェーズにおいて、住所情報によってエリア指定が行われる場合は、従来の逆ジオコーディング機能又はサービスを利用して位置情報（緯度、経度）を位置情報（住所）に変換し、周波数パワー情報記憶部３２に登録してもよい。
【００４２】
（ストレス度出力フェーズ：図５）
ストレス度出力フェーズは、情報収集フェーズ後、ユーザ端末１４においてユーザがエリア指定を入力することで実行される。
【００４３】
前記入力がなされた場合、ユーザ端末１４からマップサーバ１３に、エリア指定情報を含むストレス度出力リクエストが送信される（Ｓ２００）。
【００４４】
エリア指定情報は、ストレス度の分析を行う領域に応じて、都道府県や市町村等の住所情報、公園や事業所などの区域名、建物名、道路名、路線名等の情報、緯度・経度により特定される領域の情報などを含むことができる。マップサーバ１３がエリアに関するデータベースを参照できる場合は、そのデータベースで利用できるエリア識別情報を含んでいてもよい。
【００４５】
またユーザは同時に複数のエリア指定を入力してもよく、その場合、ストレス度出力リクエストは複数のエリア指定情報を含む。
【００４６】
本実施形態では、ユーザの位置情報として基地局１１の位置情報を使用するため、基地局１１がカバーするゾーン又はセルが、エリア指定できる解像度を規定することになる。従って、例えば一つの建物や事業所に複数の基地局が設置されている場合（複数の基地局によってカバーされている場合）、その一つの建物や事業所に対して各基地局がカバーする範囲ごとにエリアを指定することができる。
【００４７】
マップサーバ１３において、リクエスト受付部３３が、ユーザ端末１４から送信されるストレス度出力リクエストを受信すると（Ｓ２０１）、ストレス度出力部３４は、ストレス度出力リクエストに含まれるエリア指定情報に基づいて、周波数パワー情報記憶部３２に登録されている位置情報のうち、指定されたエリアに関連する基地局１１の位置情報を特定する（Ｓ２０２）。
【００４８】
例えば、都道府県、市町村などによってエリア指定が行われている場合は、指定されたエリアに含まれる基地局１１の位置情報を特定する。また例えば、道路や路線などによってエリア指定が行われている場合は、指定されたエリアから所定の距離範囲に含まれる基地局１１の位置情報を特定する。マップサーバ１３において各基地局１１のゾーン又はセルの情報を取得できる場合は、指定された道路や路線などが通過するゾーン又はセルに対応する基地局１１の位置情報を特定してもよい。
【００４９】
次に、ストレス度出力部３４は、周波数パワー情報記憶部３２を参照して、前記特定した位置情報に対応するパワースペクトル密度を取得する（Ｓ２０３）。
【００５０】
次に、ストレス度出力部３４は、前記取得したパワースペクトル密度に基づいて前記指定されたエリアにおける移動端末機１０の使用ユーザのストレス度を求める（Ｓ２０４）。
【００５１】
パワースペクトル密度からストレス度を求める方法には、音声ストレス分析や音声感情分析などの種々の従来技術を用いることができるが、本実施形態では、ストレスを感じている人ほど音声のトーンが高くなり音量が大きくなるという知見に基づき、高周波数のパワースペクトル密度が大きいほどストレス度が高いと判断する。
【００５２】
具体的には、高周波数のパワースペクトル密度として、前記取得したパワースペクトル密度及び位置情報の組み合わせごとに、閾値以上の周波数に対応するパワースペクトル密度の平均値（平均パワースペクトル密度）を求める。次に、前記取得したパワースペクトル密度及び位置情報の組み合わせが複数ある場合は、それら複数の組み合わせについて平均パワースペクトル密度の平均値を求める。そして、例えば図６に示すようなストレス度決定テーブルを参照し、前記求めた平均値の大小に応じてストレス度を決定する。
【００５３】
次に、ストレス度出力部３４は、前記指定されたエリアに対応づけて前記求めたストレス度をユーザ端末１４に送信する（Ｓ２０５）。
【００５４】
ユーザ端末１４では、マップサーバ１３から送信されるストレス度を受信し、指定エリアに対応づけて例えばディスプレイに表示する（Ｓ２０６）。
【００５５】
表示方法としては、例えば、指定エリアを含む所定範囲の地図上に、指定エリアに対応づけてストレス度を数値やグラフで表示したり、指定エリアをストレス度に応じた色、濃淡、記号などで表示することが考えられる。図７に、模式的な日本地図上に各都道府県をエリア指定して４段階の濃淡でストレス度を表示した場合の例を示す。
【００５６】
ストレス度出力部３４において、必要に応じて既存の地図情報提供サービス又はデータベースを利用して、このような表示を行うためのマップ情報を作成し、ユーザ端末１４に送信してもよい。
【００５７】
本開示は、以上の実施形態に限定されるべきものではなく、特許請求の範囲に表現された思想および範囲を逸脱することなく、種々の変形、追加、および省略が当業者によって可能である。
【００５８】
例えば、マップサーバ１３は、複数種類の移動通信ネットワークからそれぞれ、パワースペクトル密度及び音声入力時位置情報の組み合わせを取得してもよい。
【００５９】
また例えば、センター局１２が有する周波数パワー情報算出部２１、データ送信部２２の機能の一部又は全部が、他の装置（移動端末機１０、基地局１１、マップサーバ１３など）に実装されていてもよい。同様に、マップサーバ１３の機能の一部又は全部が他の装置（移動端末機１０、基地局１１、センター局１２、ユーザ端末１４など）に実装されていてもよい。この場合、それらの機能が分散して実装される各装置は互いに通信可能に構成される。またマップサーバ１３は、データ送信部２２等が実装される装置と通信可能に構成される。
【００６０】
また例えば、上記実施形態では、ユーザが指定したエリアについてストレス度を求めているが、本開示はこのような形態に限られるものではない。例えばユーザ端末１４からエリア指定情報に代えてマップ範囲や単位エリアの指定情報を含むマップ作成リクエストを送信してもよい。マップ範囲や単位エリアについてデフォルト値を指定する場合は、単にマップ作成リクエストを送信することもできる。マップサーバ１３では、ストレス度マップ作成リクエストを受信した場合、指定されたマップ範囲（例えば、日本全国）に含まれる各単位エリア（例えば都道府県）についてストレス度を求め、各単位エリアに対応づけてユーザ端末１４に出力する。この場合、マップサーバ１３において、指定マップ範囲を含む地図上に各単位エリアのストレス度を表示するためのマップ情報（図７参照）を作成し、ユーザ端末１４に送信してもよい。
【００６１】
また例えば、上記実施形態では、周波数パワー情報としてパワースペクトル密度を例に説明しているが、エネルギースペクトル密度などの他の周波数パワー情報を用いてストレス度を求めてもよい。
【００６２】
また例えば、上記実施形態では、マップサーバ１３においてストレス度出力リクエストを受信した際にストレス度を求めているが、マップサーバ１３において、ストレス度出力リクエストを受信する前に、パワースペクトル密度に基づいてストレス度（生体情報の加工情報）を求めておき、前記求めたストレス度と音声入力時位置情報との組み合わせを記憶部に登録してもよい。この場合、ストレス度出力フェーズでは、記憶部を参照して指定エリア関連位置情報に対応するストレス度を抽出し、前記抽出したストレス度の平均値（指定エリアのユーザに関する個人特徴）を求める。
【００６３】
また例えば、上記実施形態では、ストレス度出力部３４において、閾値以上の周波数に対応する平均パワースペクトル密度を求めているが、周波数パワー情報算出部２１及びデータ送信部２２において、閾値以上の周波数に対応する平均パワースペクトル密度を求め、音声入力時位置情報と組み合わせてマップサーバ１３に送信する構成としてもよい。この場合、周波数パワー／位置情報取得部３１は、周波数パワー情報として平均パワースペクトル密度を取得し、音声入力時位置情報に対応づけて周波数パワー情報記憶部３２に登録する。逆に、センター局１２において音声情報を加工せずに、音声情報と音声入力時位置情報との組み合わせをマップサーバ１３に送信し、マップサーバ１３において音声情報、又は音声情報に基づいて算出したパワースペクトル密度を、音声入力時位置情報に対応づけて記憶部に登録してもよい。
【００６４】
また例えば、上述の閾値はストレス度の求め方に応じて予めストレス度出力部３４に設定しておくことができるが、情報処理システム１の管理者等によって、又は、ユーザがユーザ端末１４から指示することで、閾値を変更できるように構成してもよい。後者の場合、ユーザが閾値を選択することで、ユーザが所望する周波数領域に依存したストレス度を求めることが可能となる。なお、閾値以下の周波数に対応する平均パワースペクトル密度を求めたり、閾値を複数設定して、所定範囲の周波数に対応する平均パワースペクトル密度を求めて、ストレス度を求めてもよい。
【００６５】
また例えば、上記実施形態では、ユーザの位置情報として、音声が移動端末機１０に入力されたときに該移動端末機１０の音声通信を中継していた基地局１１の位置情報を用いているが、音声が移動端末機１０に入力されたときに該移動端末機１０についてホームメモリ局に登録されている位置情報をユーザの位置情報として用いてもよい。又は、音声が移動端末機１０に入力されたときに該移動端末機１０が２以上の基地局１１と無線通信できる場合は、該無線通信の信号（例えば、電波強度）に基づいて移動端末機１０の位置を推測し、ユーザの位置情報として用いてもよい。
【００６６】
又は、移動端末機１０がＧＰＳ機能を有する場合は、音声が入力されたときを基準とする所定期間内（例えば、音声入力時から過去１時間以内）に移動端末機１０のＧＰＳ機能により決定された当該移動端末機１０の位置情報をユーザの位置情報として用いてもよい。ＧＰＳ機能を利用する場合、基地局の位置情報を利用する場合よりも高い位置解像度を得ることができるので、建物内のフロアや部屋などを単位としてエリアを指定し、ストレス度を求めることができる。この場合、建物の平面又は立体レイアウト図上に、指定エリアに対応づけてストレス度を数値やグラフで表示したり、指定エリアをストレス度に応じた色、濃淡、記号などで表示することができる。
【００６７】
また例えば、上記実施形態では、移動端末機１０に入力されたユーザの音声のパワースペクトル密度を取得しているが、移動端末機１０以外のデバイス、例えば固定設置のマイク装置に入力されたユーザ音声のパワースペクトル密度を取得してもよい。この場合、ユーザの位置情報として、当該マイク装置の設置位置の情報を用いることができる。
【００６８】
また例えば、上記実施形態では、音声のパワースペクトル密度に基づいてストレス度を求めているが、音声の周波数パワー情報に基づいて他の個人特徴（例えば興奮度）を求めてもよい。例えば遊園地等においてアトラクションに対応するエリアを設定しておき、遊園地等内で交わされる音声の周波数パワー情報と、上述のＧＰＳ機能により決定されたユーザの位置情報とを取得し、エリアごとの興奮度を求めて表示することで、遊園地等の関係者はアトラクション別の興奮度の分析を行うことが可能となる。
【００６９】
また例えば、上記実施形態では、音声のパワースペクトル密度に基づいてストレス度を求めているが、音声に基づく他の加工情報、例えば、周波数の変調情報に基づいてストレス度を求めてよい。
【００７０】
また例えば、上記実施形態では、生体情報として音声を用いているが、音声に加えて又は代えて、他の生体情報を用いてストレス度や他の個人特徴を求めてもよい。例えば、携帯型モニタリング装置から直接又は間接に、ユーザの生体情報（音声、血圧、脈拍、発汗量、心電図、脳波、生体電位、酸素飽和度、体温、呼吸量／回数、歩数など）又はその加工情報と、該生体情報が生成されたときのユーザの位置情報とを取得し、指定されたエリアに対応する生体情報に基づいて、ストレス度、興奮度、健康レベル、運動量などの個人特徴を求め、指定されたエリアに対応づけて出力（表示）するように構成してもよい。
【００７１】
なお、以上に説明した実施形態及び種々の変形の技術的特徴は任意に組み合わせて採用することができる。
【符号の説明】
【００７２】
１  情報処理システム、
１０  移動端末機、
１１  基地局、
１２  センター局、
１３  マップサーバ
１４  ユーザ端末、
２１  周波数パワー情報算出部、
２２  データ送信部、
３１  周波数パワー情報／位置情報取得部、
３２  周波数パワー情報記憶部、
３３  リクエスト受付部、
３４  ストレス度出力部
【図１】
2011024830.tif 000003
【図２Ａ】
2011024830.tif 000004
【図２Ｂ】
2011024830.tif 000005
【図３】
2011024830.tif 000006
【図４】
2011024830.tif 000007
【図５】
2011024830.tif 000008
【図６】
2011024830.tif 000009
【図７】
2011024830.tif 000010
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
音声通信機能を有する移動端末機において入力された音声のパワースペクトル密度と、前記音声が入力されたときに前記移動端末機の音声通信を中継していた基地局装置の位置情報とを取得する取得部と、
前記取得したパワースペクトル密度と位置情報とを対応づけて記憶する記憶部と、
エリアの指定を受け付ける受付部と、
前記記憶部を参照して、前記指定されたエリアに関連する位置情報を特定し、前記特定した位置情報に対応するパワースペクトル密度を取得し、前記取得したパワースペクトル密度及び位置情報の組み合わせごとに、閾値以上の周波数に対応するパワースペクトル密度の平均値（平均パワースペクトル密度）を求め、前記指定されたエリアにおける前記平均パワースペクトル密度の平均値を求め、該求めた平均パワースペクトル密度の平均値に基づいて、前記指定されたエリアにおける前記移動端末機の使用ユーザのストレス度を求め、前記指定されたエリアに対応づけて出力する出力部と、を含む情報処理システム。
【請求項２】
ユーザの音声のパワースペクトル密度と、前記音声が生成されたときの前記ユーザの位置情報を取得する取得部と、
前記取得したパワースペクトル密度と位置情報とを対応づけて記憶する記憶部と、
前記記憶部を参照して、所定のエリアに関連する位置情報を特定し、前記特定した位置情報に対応するパワースペクトル密度を取得し、前記取得したパワースペクトル密度及び位置情報の組み合わせごとに、閾値以上の周波数に対応するパワースペクトル密度の平均値（平均パワースペクトル密度）を求め、前記所定のエリアにおける前記平均パワースペクトル密度の平均値を求め、該求めた平均パワースペクトル密度の平均値に基づいて前記所定のエリアのユーザに関する個人特徴を求め、前記所定のエリア対応づけて出力する特徴出力部と、を含む情報処理システム。
【請求項３】
前記取得部は、前記ユーザの音声のパワースペクトル密度として、音声通信機能を有する移動端末機において入力された前記ユーザの音声のパワースペクトル密度を取得し、前記ユーザの位置情報として、前記音声が入力されたときの前記移動端末機の位置情報を取得する、請求項２記載の情報処理システム。
【請求項４】
前記取得部は、前記移動端末機の位置情報として、前記音声が入力されたときに前記移動端末機の音声通信を中継していた基地局装置の位置情報、又は、前記音声が入力されたときを基準とする所定期間内に前記移動端末機のＧＰＳ機能により決定された前記移動端末機の位置情報を取得する、請求項３記載の情報処理システム。
【請求項５】
前記特徴出力部は、前記平均パワースペクトル密度の平均値に基づいて前記所定のエリアにおける前記移動端末機の使用ユーザのストレス度を前記個人特徴として求め、前記所定のエリアに対応づけて出力する、請求項３記載の情報処理システム。
【請求項６】
前記特徴出力部は、前記所定のエリアを含む範囲の地図又はレイアウト図上に前記所定のエリアに対応づけて前記個人特徴を表示するためのマップ情報を出力する、請求項２記載の情報処理システム。
【請求項７】
音声通信機能を有する移動端末機において入力された音声のパワースペクトル密度と、前記音声が入力されたときに前記移動端末機の音声通信を中継していた基地局装置の位置情報とを取得することと、
前記取得したパワースペクトル密度と位置情報とを対応づけてメモリに記憶することと、
エリアの指定を受け付けることと、
前記メモリを参照して、前記指定されたエリアに関連する位置情報を特定し、前記特定した位置情報に対応するパワースペクトル密度を取得し、前記取得したパワースペクトル密度及び位置情報の組み合わせごとに、閾値以上の周波数に対応するパワースペクトル密度の平均値（平均パワースペクトル密度）を求め、前記指定されたエリアにおける前記平均パワースペクトル密度の平均値を求め、該求めた平均パワースペクトル密度の平均値に基づいて、前記指定されたエリアにおける前記移動端末機の使用ユーザのストレス度を求め、前記指定されたエリアに対応づけて出力することと、を含む情報処理方法。
【手続補正書】
【提出日】平成22年4月7日(2010.4.7)
【手続補正１】
【補正対象書類名】特許請求の範囲
【補正対象項目名】請求項２
【補正方法】変更
【補正の内容】
【請求項２】
ユーザの音声のパワースペクトル密度と、前記音声が生成されたときの前記ユーザの位置情報を取得する取得部と、
前記取得したパワースペクトル密度と位置情報とを対応づけて記憶する記憶部と、
前記記憶部を参照して、所定のエリアに関連する位置情報を特定し、前記特定した位置情報に対応するパワースペクトル密度を取得し、前記取得したパワースペクトル密度及び位置情報の組み合わせごとに、閾値以上の周波数に対応するパワースペクトル密度の平均値（平均パワースペクトル密度）を求め、前記所定のエリアにおける前記平均パワースペクトル密度の平均値を求め、該求めた平均パワースペクトル密度の平均値に基づいて前記所定のエリアのユーザに関する個人特徴を求め、前記所定のエリアに対応づけて出力する特徴出力部と、を含む情報処理システム。
【手続補正２】
【補正対象書類名】特許請求の範囲
【補正対象項目名】請求項７
【補正方法】変更
【補正の内容】
【請求項７】
コンピュータの作動方法であって、
前記コンピュータが、音声通信機能を有する移動端末機において入力された音声のパワースペクトル密度と、前記音声が入力されたときに前記移動端末機の音声通信を中継していた基地局装置の位置情報とを取得することと、
前記コンピュータが、前記取得したパワースペクトル密度と位置情報とを対応づけてメモリに記憶することと、
前記コンピュータが、エリアの指定を受け付けることと、
前記コンピュータが、前記メモリを参照して、前記指定されたエリアに関連する位置情報を特定し、前記特定した位置情報に対応するパワースペクトル密度を取得し、前記取得したパワースペクトル密度及び位置情報の組み合わせごとに、閾値以上の周波数に対応するパワースペクトル密度の平均値（平均パワースペクトル密度）を求め、前記指定されたエリアにおける前記平均パワースペクトル密度の平均値を求め、平均パワースペクトル密度の平均値とストレス度との対応関係を定めたストレス度決定テーブルを参照して、該求めた平均パワースペクトル密度の平均値に対応する前記指定されたエリアにおける前記移動端末機の使用ユーザのストレス度を決定し、前記指定されたエリアに対応づけて出力することと、を含む作動方法。